(57)【要約】【課題】従来の長時間で心電を測定する方式では電極が被測定者の肌に強く接触し、痛みを生じたり、かぶれを生じることがあった。【解決手段】電極は人体の胸に接触する複数の突起部を持つ導電性シリコン部と、前記導電性シリコン部の周囲と接触し、前記ベルトと結合する絶縁性シリコン部とから構成する。【選択図】図３
2016146859.tif 000002
【特許請求の範囲】
【請求項１】
ベルトと、前記ベルトを介して被測定者の胸部に接触させる複数の電極と、前記複数の電極を介して被測定者の心電信号または心拍信号を出力する心電または心拍信号出力回路部と、前記電極と前記信号出力回路部とは電気的に結合された心電または心拍情報取得装置で、前記電極は胸部に接触する複数の突起部を持つ導電性シリコン部と絶縁性シリコン部を備えた心電または心拍情報取得装置。
【請求項２】
前記絶縁性シリコン部の前記胸部と接する面は大きなアール形状の曲面である請求項１に記載の心電または心拍情報取得装置。
【請求項３】
前記ベルトは前記測定回路部の左右の一方に配した第１ベルト部位と他方に配した第２のベルト部位からなり、第１、第２のベルト部位は直接に結合または第３のベルトを介して結合する請求項１に記載の心電または心拍情報取得装置。
【請求項４】
前記絶縁性シリコン部の硬度は、前記導電性シリコン部の硬度よりも小さい請求項１に記載の心電または心拍情報取得装置。
【請求項５】
前記導電性シリコン部と前記絶縁性シリコン部とが二色成型法で製造される請求項１、２に記載の心電または心拍情報取得装置。
【発明の詳細な説明】
【技術分野】
【０００１】
本発明は、長時間にわたって心電または心拍を測定するか、または何か異変を感じたときに心電または心拍を測定し記録する心電または心拍情報取得装置に関する。
【背景技術】
【０００２】
従来、この種の心電測定システムは、ホルター式心電計として複数の被測定部に電極を貼り付けるとか、前記電極を装置した装着ベルトを被診断者の胸部に巻き回して心電を測定し、必要なときに心電を測定し記録する心電計はあった。
【０００３】
装着ベルトに取り付けられた一対の電極の間に発生した利用者の心電位を処理して心電信号を検出して心電情報を利用者が取得し、前記心電信号を演算して心拍数を算出し、前記心拍数に基づいて心拍情報を利用者が取得できる心拍情報取得装置に関するものである。
【先行技術文献】
【特許文献】
【０００４】
【特許文献１】特開２００８−５４７９５号公報
【発明の概要】
【発明が解決しようとする課題】
【０００５】
図４に示す特許文献１は、心拍情報取得装置は、本体ベルト５１と背面ベルト５２の夫々の両端を結合具５３Ａ，５３Ｂによって結合された装着ベルトを有し、本体ベルト５１に取り付けられた一対の電極５１Ａ，５１Ｂを備え、一対の電極５１Ａ，５１Ｂの間に発生した心電位に基づいて心拍信号を検出する心拍検出部と、演算制御部５６と報知部（不図示）とで構成されている。そして、演算制御部５６は前記心拍信号を処理して心拍数を算出する心拍数演算手段と、前記報知部を制御して心拍情報を利用者に報知させる制御手段を備えて構成され、本体ベルト５１に取り付けられている。前記心拍情報は、前記心拍数が入力手段５５で設定された目標値の正常範囲にある旨の情報、前記心拍数が上限目標値を超えた旨の情報、下限目標値を下回った旨の情報である。
【０００６】
本体ベルト５１を胸部Ｂに長時間、締め付けると電極５１Ａ，５１Ｂが図に示されているように矩形であるのでそのエッジが柔らかい胸部Ｂに当たって被験者は痛みを生じ、跡が残るような問題点があった。また、長時間の間、電極が人体の胸部に接触していると通気性が悪く、かゆみを生じる問題点もあった。
【０００７】
本発明は、このような従来の構成が有していた問題を解決しようとするものであり、心電情報、心拍情報を取得するために長時間、装着ベルトを人体の胸部に装着しても痛みもなく、かゆみを生じさせないことを目的とするものである。
【課題を解決するための手段】
【０００８】
本発明の請求項１は、ベルトと、前記ベルトを介して被測定者の胸部に接触させる複数の電極と、前記複数の電極を介して被測定者の心電信号または心拍信号を出力する心電または心拍信号出力回路部と、前記電極と前記信号出力回路部とは電気的に結合された心電または心拍情報取得装置で、前記電極は胸部に接触する複数の突起部を持つ導電性シリコン部と絶縁性シリコン部を備えた心電または心拍情報取得装置を提供することにある。
【０００９】
請求項２は、前記絶縁性シリコン部の前記胸部と接する面は大きなアール形状の曲面である請求項１に記載の心電または心拍情報取得装置を提供することにある。
【００１０】
請求項３は、前記ベルトは前記測定回路部の左右の一方に配した第１ベルト部位と他方に配した第２のベルト部位からなり、第１、第２のベルト部位は直接に結合または第３のベルトを介して結合する請求項１に記載の心電または心拍情報取得装置を提供することにある。
【００１１】
請求項４は、前記絶縁性シリコン部の硬度は、前記導電性シリコン部の硬度よりも小さい請求項１に記載の心電または心拍情報取得装置を提供することにある。
【００１２】
請求項５は、前記導電性シリコン部と前記絶縁性シリコン部とが二色成型法で製造される請求項１、２に記載の心電または心拍情報取得装置を提供することにある。
【発明の効果】
【００１３】
上述したように、本発明の心電または心拍情報取得装置は、電極を囲む周囲に低硬度の前記絶縁性シリコンを使用しているため、人体に電極を接触させた際に電極が人体に馴染むよう変形する。そのため人体の胸部に電極を強く接触させる必要がなくなり痛みの発生が軽減できる効果がある。また、電極の形状を複数の突出部から形成させ、通気性をよくし、人体にその跡が残るようなことが生じる問題が少なくなる効果がある。
【図面の簡単な説明】
【００１４】
【図１】各電極の人体の接触面側から見た図
【図２】各電極と人体との関係図
【図３】各電極の断面図
【図４】従来例を示す図
【発明を実施するための形態】
【００１５】
以下、図面と共に本発明による心電または心拍情報取得装置を説明する。
【００１６】
図１は、複数の電極の一つを人体の接触面側から見た図を示す。
【００１７】
１は、人体の胸部に接触する複数の電極の後述の導電性シリコン電極部材と絶縁性シリコン部材の１組の電極を示し、２a〜２ｋは導電性シリコン電極部材を示す。導電シリコン電極部材２a〜２ｋは３で示す絶縁性シリコン部材の中に挿入されており、導電シリコン電極部材２a〜２ｋが絶縁性シリコン部材３の面よりも突出している。
【００１８】
図２は、人体の胸部と電極との関係図を示す。
【００１９】
Ｂで示す人体の胸部の表面に対して導電シリコン電極部材２a〜２ｋが接触し、絶縁性シリコン部材３との間に３Xで示す空隙が形成され、通気構造となり、汗と絶縁シリコン部材３及び導電シリコン部材とで人体の胸部の表面に対してブツブツのような汗疱（かんぽう）ができるのを防ぐ。
【００２０】
４は、導電シリコン電極部材２a〜２ｋの人体の胸部の表面と反対側に配し、導電シリコン電極部材と接触した導電部材で、５は、両面テープを示し、導電シリコン電極部材２a〜２ｋと接触する導電部材４を絶縁性シリコン部材３に貼り付けるために用いる。
【００２１】
６は、心電測定のために胸部に、導電シリコン電極部材２a〜２ｋが接触し、絶縁性シリコン部材３と、を一体にしたものを固定した本体ベルトを示し、被測定者の心電を測定する。
【００２２】
また、絶縁性シリコン部材３の外形状は、エッジがあると肌に食い込んで痛くなるので硬度は低く、３Ａで示すようにエッジがないように大きなアール形状にしている。
【００２３】
図３は、各電極の断面図を示す。
【００２４】
導電シリコン電極部材２a〜２ｋの絶縁性シリコン部材３から突出した部分は、胸部の皮膚に触れるため、しかも測定時間が２４時間、またそれ以上時間が経過しても被測定者が痛みをそれ程感じないようにするためのアール形状で、導電性シリコン部材は硬度：50〜70度、ヤング率：10〜40MPaの範囲のものを使用し、絶縁性シリコン部材は硬度：5〜20度、ヤング率：1〜5MPaの範囲のものを使用する。ヤング率1MPa未満となるとシリコンがゲル化してしまい、日常生活中の振動に対するダンパー効果が期待できないものと考える。
【００２５】
さらに、絶縁性シリコン部材３の中に導電性シリコン部材２a〜２ｋを成型する２色成形法により製造するとコスト的にも精度面でも高性能の電極部材を作ることができる。
【符号の説明】
【００２６】
２a〜２ｋ・・ 導電シリコン電極部材
３・・・・・・絶縁性シリコン部材
４・・・・・・導電部材
５・・・・・・両面テープ
６・・・・・・本体ベルト
【図１】
2016146859.tif 000003
【図２】
2016146859.tif 000004
【図３】
2016146859.tif 000005
【図４】
2016146859.tif 000006